(57)【要約】【課題】  破損の虞がないと共に、通常時の使用状態に影響を与えにくい防水扉構造体を提供する。【解決手段】  防水扉構造体１１は、一対の構造物１ａ及び１ｂに取り付けられた取付部材２１ａ及び２１ｂと、水密性を有する扉本体３１と、取付部材２１ａ及び２１ｂに脱着自在に取り付けられ、扉本体３１を取付部材２１ａ及び２１ｂの正面に押圧させて水密状態に固定する第１の固定手段５１ａ〜５１ｄと、取付部材２１ａ及び２１ｂに脱着自在に取り付けられ、扉本体３１を床面２に押圧させて水密状態に固定する第２の固定手段６１ａ及び６１ｂとから構成される。このように構成すると、通常時は取付部材２１ａ及び２１ｂのみ構造物１ａ及び１ｂに取り付けられるので、第１の固定手段５１ａ〜５１ｄ、第２の固定手段６１ａ及び６１ｂは破損する虞がない。【選択図】  図１
2015081442.tif 000002
【特許請求の範囲】
【請求項１】
所定間隔に設置された一対の構造物に取り付けられる防水扉構造体であって、
前記構造物の各々に、床面から垂直方向に水密状態に取り付けられた一対の取付部材と、
水密性を有する扉本体と、
前記取付部材に脱着自在に取り付けられ、前記扉本体を前記取付部材の前面に押圧させて水密状態に固定する第１の固定手段と、
前記取付部材に脱着自在に取り付けられ、前記扉本体を前記床面に押圧させて水密状態に固定する第２の固定手段とを備えた、防水扉構造体。
【請求項２】
前記取付部材は中空形状を有すると共に、その前面は鍵穴状の開口が形成され、
前記第１の固定手段及び前記第２の固定手段の各々は、前記開口に抜け止め状態に係合する係合部と、前記扉本体を押圧する押圧部とを含む、請求項１記載の防水扉構造体。
【請求項３】
前記扉本体は、矩形枠状の枠体と、前記枠体の一方面側を全体に覆うと共に、その端部は前記枠体の少なくとも他方面まで巻き込むように取り付けられる弾性シートとを含む、請求項１又は請求項２記載の防水扉構造体。
【請求項４】
前記第２の固定手段は、前記枠体の内上方のものを下方に押圧する、請求項３記載の防水扉構造体。
【請求項５】
所定間隔に設置された一対の構造物に取り付けられる防水扉構造体であって、
前記構造物の各々に、床面から垂直方向に水密状態に取り付けられた一対の取付部材と、
前記床面に設置された係合部材と、
水密性を有する扉本体と、
前記取付部材に脱着自在に取り付けられ、前記扉本体を前記取付部材の前面に押圧させて水密状態に固定する第１の固定手段と、
前記係合部材に脱着自在に取り付けられ、前記扉本体を前記床面に押圧させて水密状態に固定する第２の固定手段とを備えた、防水扉構造体。
【請求項６】
前記係合部材は中空形状を有すると共に、その上面は長円状の開口が形成され、
前記第２の固定手段は、前記開口に抜け止め状態に係合する係合部と、前記扉本体を押圧する押圧部とを含む、請求項５記載の防水扉構造体。
【請求項７】
前記扉本体は、矩形枠状の枠体と、前記枠体の一方面側を全体に覆うと共に、その端部は前記枠体の少なくとも他方面まで巻き込むように取り付けられる弾性シートとを含む、請求項５又は請求項６記載の防水扉構造体。
【請求項８】
前記第２の固定手段は、前記枠体の内下方のものを前記床面に押圧する、請求項７記載の防水扉構造体。
【発明の詳細な説明】
【技術分野】
【０００１】
この発明は防水扉構造体に関し、特に構造物等の入口からの浸水を防ぐために使用される防水扉構造体に関するものである。
【背景技術】
【０００２】
従来、ゲリラ豪雨等による水が構造物等の入口から浸水することを防ぐために、対策が採られている。
【０００３】
この対策として、特許文献１で開示された防水パネル装置が提案されている。
【０００４】
図２１は、特許文献１で開示された従来の防水パネル装置の全体構成を示す斜視説明図である。
【０００５】
図を参照して、防水パネル装置１０１は、溝形材１０３ａ〜１０３ｃからなる支持枠１０２と、支持枠１０２に装着されるパネル１１０とから構成される。支持枠１０２の下方の溝形材１０３ａは、床面２に埋設されている。支持枠１０２の左右の溝形材１０３ｂ及び１０３ｃの各々は、構造物１０７ａ及び１０７ｂの各々に埋設されている。
【０００６】
パネル１１０は、略矩形形状のパネル本体１１１と、パネル本体１１１の上面に取り付けられた把手１１４ａ及び１１４ｂと、パネル本体１１１の表面にその左右両辺と底辺とに沿って設置されたハンドル１１２ａ〜１１２ｇと、パネル本体１１１の裏面にその左右両辺と底辺とに沿って設置されたパッキング１１３ａ〜１１３ｃとから構成される。
使用に際しては、パネル１１０の把手１１４ａ及び１１４ｂを把持し、パネル１１０を支持枠１０２の溝形材１０３ａ〜１０３ｃに装着させる。そして、パネル本体１１０のハンドル１１２ａ〜１１２ｇの各々を９０度回転させることによって、パッキング１１３ａ〜１１３ｃの厚みを変形させることで、防水パネル装置１０１は水密状態を保持する。
【先行技術文献】
【特許文献】
【０００７】
【特許文献１】特開平５−３１１６２９号公報
【特許文献２】特開２００２−３０８７２号公報
【特許文献３】特開２０１１−６９０９１号公報
【発明の概要】
【発明が解決しようとする課題】
【０００８】
上記のような従来の防水パネル装置１０１では、パネル１１０にハンドル１１２ａ〜１１２ｇが設置されているため、パネル１１０を運搬する際や、パネル１１０を支持枠１０２に装着する際、又は、取り外す際に、ハンドル１１２ａ〜１１２ｇを構造物１０７ａ及び１０７ｂ等に接触させて破損させる虞がある。
【０００９】
そこで、特許文献２で開示された防水扉装置が提案されている。
【００１０】
図２２は、この特許文献２で開示された他の防水扉装置の拡大斜視図である。
【００１１】
図を参照して、防水扉装置１３１は、壁１３７ａ及び１３７ｂに設置されたコの字状の戸当たり兼用掛止枠１３２ａ及び１３２ｂと、コの字状の戸当たり兼用掛止枠１３２ａ及び１３２ｂと掛止させる扉１４０とから構成される。
【００１２】
扉１４０の両側上下に、掛止用突起１４２が設置されている。コの字状の戸当たり兼用掛止枠１３２ａ及び１３２ｂの各々の下部に、切欠１３４が形成されている。又、コの字状の戸当たり兼用掛止枠１３２ａ及び１３２ｂの各々の内面には、楔１３５及び１３６が設けられている。
【００１３】
使用に際しては、扉１４０の下方の掛止用突起１４２を、コの字状の戸当たり兼用掛止枠１３２ａ及び１３２ｂの各々の切欠１３４に挿入して下方に移動させ、楔１３５及び１３６により防水扉装置１３１を水密状態にするものである。
【００１４】
しかし、この防水扉装置１３１を使用しない通常時において、コの字状の戸当たり兼用掛止枠１３２ａ及び１３２ｂは、壁１３７ａ及び１３７ｂに設置されたままの状態であった。そのため、コの字状の戸当たり兼用掛止枠１３２ａ及び１３２ｂは、壁１３７ａ及び１３７ｂから突出しているので、景観上好ましいものではなかった。
【００１５】
又、特許文献３で開示された防水シート式浸水防止装置も提案されている。
【００１６】
図２３は、この特許文献３で開示された更に他の防水シート式浸水防止装置の正面図である。
【００１７】
図を参照して、防水シート式浸水防止装置１６１は、防水シート収納用ピット１７５と、ピット１７５の両側に設けられた戸当たり１６２ａ及び１６２ｂと、ピット１７５に下縁を固定して、両側縁が戸当たり１６２ａ及び１６２ｂと各々接する防水シート１７０とから構成される。戸当たり１６２ａ及び１６２ｂには、防水シート押さえ１７２を蝶着すると共に、締付け金具１６３が設置されている。
【００１８】
使用に際して、戸当たり１６２ａ及び１６２ｂの締付け金具１６３によって、防水シート押さえ１７２を防水シート１７０に圧接させることにより、防水シート１７０は弛みなく張設される。
【００１９】
しかし、この防水シート式浸水防止装置１６１を使用しない通常時において、戸当たり１６２ａ及び１６２ｂの締付け金具１６３が露出しているため、物などが締付け金具１６３に接触することで、変形や破損する虞がある。
【００２０】
この発明は、上記のような課題を解決するためになされたもので、破損の虞がないと共に、通常時の使用状態に影響を与えにくい防水扉構造体を提供することを目的とする。
【課題を解決するための手段】
【００２１】
上記の目的を達成するために、請求項１記載の発明は、所定間隔に設置された一対の構造物に取り付けられる防水扉構造体であって、構造物の各々に、床面から垂直方向に水密状態に取り付けられた一対の取付部材と、水密性を有する扉本体と、取付部材に脱着自在に取り付けられ、扉本体を取付部材の前面に押圧させて水密状態に固定する第１の固定手段と、取付部材に脱着自在に取り付けられ、扉本体を床面に押圧させて水密状態に固定する第２の固定手段とを備えたものである。
【００２２】
このように構成すると、通常時は取付部材のみ構造物に取り付けられる。
【００２３】
請求項２記載の発明は、請求項１記載の発明の構成において、取付部材は中空形状を有すると共に、その前面は鍵穴状の開口が形成され、第１の固定手段及び第２の固定手段の各々は、開口に抜け止め状態に係合する係合部と、扉本体を押圧する押圧部とを含むものである。
【００２４】
このように構成すると、取付部材の前面には突起物を不要とする。
【００２５】
請求項３記載の発明は、請求項１又は請求項２記載の発明の構成において、扉本体は、矩形枠状の枠体と、枠体の一方面側を全体に覆うと共に、その端部は枠体の少なくとも他方面まで巻き込むように取り付けられる弾性シートとを含むものである。
【００２６】
このように構成すると、全体が軽量となると共に、枠体に巻き込まれた弾性シートの部分が設置時に水密性能を発揮する。
【００２７】
請求項４記載の発明は、請求項３記載の発明の構成において、第２の固定手段は、枠体の内上方のものを下方に押圧するものである。
【００２８】
このように構成すると、床面に第２の固定手段との係合部材を不要とする。
【００２９】
請求項５記載の発明は、所定間隔に設置された一対の構造物に取り付けられる防水扉構造体であって、構造物の各々に、床面から垂直方向に水密状態に取り付けられた一対の取付部材と、床面に設置された係合部材と、水密性を有する扉本体と、取付部材に脱着自在に取り付けられ、扉本体を取付部材の前面に押圧させて水密状態に固定する第１の固定手段と、係合部材に脱着自在に取り付けられ、扉本体を床面に押圧させて水密状態に固定する第２の固定手段とを備えたものである。
【００３０】
このように構成すると、通常時は取付部材及び係合部材のみ構造物に取り付けられる。
【００３１】
請求項６記載の発明は、請求項５記載の発明の構成において、係合部材は中空形状を有すると共に、その上面は長円状の開口が形成され、第２の固定手段は、開口に抜け止め状態に係合する係合部と、扉本体を押圧する押圧部とを含むものである。
【００３２】
このように構成すると、係合部材の上面には突起物を不要とする。
【００３３】
請求項７記載の発明は、請求項５又は請求項６記載の発明の構成において、扉本体は、矩形枠状の枠体と、枠体の一方面側を全体に覆うと共に、その端部は枠体の少なくとも他方面まで巻き込むように取り付けられる弾性シートとを含むものである。
【００３４】
このように構成すると、全体が軽量となると共に、枠体に巻き込まれた弾性シートの部分が設置時に水密性能を発揮する。
【００３５】
請求項８記載の発明は、請求項７記載の発明の構成において、第２の固定手段は、枠体の内下方のものを床面に押圧するものである。
【００３６】
このように構成すると、扉本体の床面との水密効果が高まる。
【発明の効果】
【００３７】
以上説明したように、請求項１記載の発明は、通常時は取付部材のみ構造物に取り付けられるため、第１の固定手段及び第２の固定手段の破損の虞がない。
【００３８】
請求項２記載の発明は、請求項１記載の発明の効果に加えて、取付部材の前面には突起物を不要とするため、通常時の使用状態に影響を与えにくい。
【００３９】
請求項３記載の発明は、請求項１又は請求項２記載の発明の効果に加えて、全体が軽量となると共に、枠体に巻き込まれた弾性シートの部分が設置時に水密性能を発揮するため、持ち運びが容易となり、効率的な構造となる。
【００４０】
請求項４記載の発明は、請求項３記載の発明の効果に加えて、床面に第２の固定手段との係合部材を不要とするため、通常時の通行に障害とならない。
【００４１】
請求項５記載の発明は、通常時は取付部材及び係合部材のみ構造物に取り付けられるため、第１の固定手段及び第２の固定手段の破損の虞がない。
【００４２】
請求項６記載の発明は、請求項５記載の発明の効果に加えて、係合部材の上面には突起物を不要とするため、通常時の使用状態に影響を与えにくい。
【００４３】
請求項７記載の発明は、請求項５又は請求項６記載の発明の効果に加えて、全体が軽量となると共に、枠体に巻き込まれた弾性シートの部分が設置時に水密性能を発揮するため、持ち運びが容易となり、効率的な構造となる。
【００４４】
請求項８記載の発明は、請求項７記載の発明の効果に加えて、扉本体の床面との水密効果が高まるため、防水機能の信頼性が向上する。
【図面の簡単な説明】
【００４５】
【図１】この発明の第１の実施の形態による防水扉構造体の概略正面図である。
【図２】図１で示した防水扉構造体の扉本体の概略斜視図である。
【図３】図２で示したＩＩＩ−ＩＩＩラインから見た端面図である。
【図４】図１で示した防水扉構造体の取付部材の概略正面図であって、構造物に取り付けられた状態を示す図である。
【図５】図４で示したＶ−Ｖラインから見た断面図である。
【図６】図４で示したＶＩ−ＶＩラインから見た断面図である。
【図７】図１で示したＶＩＩ−ＶＩＩラインから見た断面図である。
【図８】図７で示したＶＩＩＩ−ＶＩＩＩラインから見た断面図である。
【図９】図１で示したＩＸ−ＩＸラインから見た断面図である。
【図１０】図９で示したＸ−Ｘラインから見た断面図である。
【図１１】図１で示した防水扉構造体の取付工程を示す概略分解斜視図である。
【図１２】図１で示したＸＩＩ−ＸＩＩラインから見た断面図である。
【図１３】この発明の第２の実施の形態による防水扉構造体の概略正面図であって、図１に対応した図である。
【図１４】図１３で示したＸＩＶ−ＸＩＶラインから見た断面図である。
【図１５】図１３で示した第２の固定手段の概略右側面図である。
【図１６】図１５で示したＸＶＩ−ＸＶＩラインから見た断面図である。
【図１７】図１３で示したＸＶＩＩ−ＸＶＩＩラインから見た断面図である。
【図１８】図１７で示したＸＶＩＩＩ−ＸＶＩＩＩラインから見た断面図である。
【図１９】この発明の第３の実施の形態による防水扉構造体の第２の固定手段の使用状態を示す概略断面図であって、図１７に対応した図である。
【図２０】図１９で示したＸＸ−ＸＸラインから見た断面図であって、図１８に対応した図である。
【図２１】特許文献１で開示された従来の防水パネル装置の全体構成を示す斜視説明図である。
【図２２】特許文献２で開示された従来の他の防水扉装置の拡大斜視図である。
【図２３】特許文献３で開示された従来の更に他の防水シート式浸水防止装置の正面図である。
【発明を実施するための形態】
【００４６】
図１は、この発明の第１の実施の形態による防水扉構造体の概略正面図であり、図２は、図１で示した防水扉構造体の扉本体の概略斜視図であり、図３は、図２で示したＩＩＩ−ＩＩＩラインから見た端面図であり、図４は、図１で示した防水扉構造体の取付部材の概略正面図であって、構造物に取り付けられた状態を示す図であり、図５は、図４で示したＶ−Ｖラインから見た断面図であり、図６は、図４で示したＶＩ−ＶＩラインから見た断面図である。
【００４７】
これらの図を参照して、防水扉構造体１１は、所定間隔に設置された一対の構造物１ａ及び１ｂの各々に、床面２から垂直方向に接着剤等で水密状態に取り付けられた一対の取付部材２１ａ及び２１ｂと、取付部材２１ａ及び２１ｂと水密状態に固定される扉本体３１と、取付部材２１ａ及び２１ｂの各々の中央付近位置と下方位置で脱着自在に取り付けられる第１の固定手段５１ａ〜５１ｄと、取付部材２１ａ及び２１ｂの各々の上方位置で脱着自在に取り付けられる第２の固定手段６１ａ及び６１ｂとから構成される。尚、取付部材２１ａ及び２１ｂの各々は、アンカーボルト等の金属金具を用いて、構造物１ａ及び１ｂの各々に取り付けた後に、その周囲をシール材で水密状態にするものであっても良い。
【００４８】
図２及び図３を参照して、防水扉構造体１１の扉本体３１は、ステンレスからなる矩形枠状の枠体３２と、枠体３２の正面側を全体に覆うようにして取り付けられた、水密性を有する１枚のゴム素材からなる弾性シート３９とから構成される。枠体３２は、上方枠３３と、下方枠３４と、左方枠３５と、右方枠３６とから外形が形成され、更に、上方枠３３と下方枠３４とをその中央で支柱３７が支持している。弾性シート３９は、枠体３２の正面側を覆うと共に、図３で示したように枠体３２の背面まで巻き込むように取り付けられている。このように構成すると、扉本体３１の全体が軽量で、持ち運びが容易となり、効率的な構造となる。
【００４９】
図４を参照して、取付部材２１ａ及び２１ｂは、左右対称な構成となっている。ここでは、取付部材２１ｂを中心に説明する。
【００５０】
図４、図５及び図６を参照して、取付部材２１ｂは、中空形状を有すると共に、その正面の中央付近位置には矩形状の矩形部２８とその矩形部２８の上方で連結した円形状の円形部２７とからなる鍵穴状の開口２３ｂが、下方位置には同様の鍵穴状の開口２４ｂが、上方位置には９０度方向に回転させた同様の鍵穴状の開口２２ｂが、各々形成されている。このように構成した理由については、後述する。
【００５１】
次に、第１の固定手段について説明する。
【００５２】
図７は、図１で示したＶＩＩ−ＶＩＩラインから見た断面図であり、図８は、図７で示したＶＩＩＩ−ＶＩＩＩラインから見た断面図である。
【００５３】
尚、図１で示した第１の固定手段５１ａ〜５１ｄの各々は、同一の構成である。ここでは第１の固定手段５１ｃを中心に説明する。
【００５４】
これらの図を参照して、第１の固定手段５１ｃは、ねじ山を回すことで押圧することができる押圧部５５ｃと、押圧部５５ｃのねじ山と螺合する第１の平板部５８とその第１の平板部５８の一方端部と垂直に接続された垂直部５９とその垂直部５９の他方端部で垂直に接続された第２の平板部６０とからなる本体部５７と、押圧部５５ｃの押圧方向を向いて本体部５７の第２の平板部６０に接続された円柱形状の円柱部５３とその円柱部５３の先端に接続されて円柱部５３の直径Ｄ１よりも大きな直径Ｄ２を有する円板状の円板部５４とからなり、取付部材２１ｂの開口２３ｂと抜け止め状態に係合することができる係合部５２ｃとから構成される。
【００５５】
使用に際しては、まず、第１の固定手段５１ｃの係合部５２ｃの円板部５４を、取付部材２１ｂの開口２３ｂの円形部２７に差し込む。このとき、円板部５４の直径Ｄ２は、円形部２７の直径Ｄ３より小さいので、係合部５２ｃの円板部５４は取付部材２１ｂの中空部分２０ｂに差し込まれることになる。この状態で、第１の固定手段５１ｃを下方へずらすと、円柱部５３の直径Ｄ１は矩形部２８の底辺Ｌ１より小さく設定されているので、係合部５２ｃの円柱部５３の下端と、開口２３ｂの矩形部２８の底辺とが当接する。ここで、開口２３ｂの矩形部２８の底辺Ｌ１は、取付部材２１ｂの中空部分２０ｂに差し込まれている第１の固定手段５１ｃの係合部５２ｃの円板部５４の直径Ｄ２より小さい。よって、第１の固定手段５１ｃの係合部５２ｃは、取付部材２１ｂの鍵穴状の開口２３ｂに抜け止め状態となる。
【００５６】
次に、第１の固定手段５１ｃの押圧部５５ｃを回転させることによって、扉本体３１を取付部材２１ｂの正面に押圧させて、水密状態に固定する。このとき、上述のように第１の固定手段５１ｃは、取付部材２１ｂに抜け止め状態となっているので、取付部材２１ｂから抜けずに、押圧部５５ｃによって押圧することができる。
【００５７】
次に、第２の固定手段について説明する。
【００５８】
図９は、図１で示したＩＸ−ＩＸラインから見た断面図であり、図１０は、図９で示したＸ−Ｘラインから見た断面図である。
【００５９】
尚、図１で示した第２の固定手段６１ａ及び６１ｂは、同一の構成である。ここでは、第２の固定手段６１ａを中心に説明する。又、第２の固定手段６１ａは、図７で示した第１の固定手段５１ｃと基本的な構成は同一であるので、ここではその相違点を中心に説明する。
【００６０】
これらの図を参照して、第２の固定手段６１ａは、押圧部６５ａと、押圧部６５ａのねじ山と螺合する平板部６８とその平板部６８の一方端部と垂直に接続された垂直部６９とからなる本体部６７と、押圧部６５ａの押圧方向に垂直な方向を向いて本体部６７の垂直部６９に接続された円柱形状の円柱部６３とその円柱部６３の先端に接続された円板状の円板部６４とからなり、取付部材２１ａの開口２２ａと抜け止め状態に係合することができる係合部６２ａとから構成される。
【００６１】
使用に際しては、まず、第２の固定手段６１ａの係合部６２ａの円板部６４を、取付部材２１ａの開口２２ａの円形部２５に差し込み、第２の固定手段６１ａを右方へずらして、係合部６２ａの円柱部６３の右端と、開口２２ａの矩形部２６の右辺とを当接させる。これにより、第２の固定手段６１ａの係合部６２ａを、取付部材２１ａの鍵穴状の開口２２ａに抜け止め状態にする。次に、第２の固定手段６１ａを回すことによって、押圧部６５ａを介して扉本体３１の枠体３２の内上方にある上方枠３３を、図１で示した床面２に下方へ押圧させて、水密状態に固定する。よって、床面２には第２の固定手段６１ａと直接係合する係合部材を設置する必要はなく、扉本体３１を設置しない通常時においては、通行の障害となるものはない。
【００６２】
ここで、防水扉構造体１１の取付工程について説明する。
【００６３】
図１１は、図１で示した防水扉構造体の取付工程を示す概略分解斜視図であり、図１２は、図１で示したＸＩＩ−ＸＩＩラインから見た断面図である。
【００６４】
これらの図を参照して、まず扉本体３１の背面を、一対の構造物１ａ及び１ｂの各々に取り付けられた取付部材２１ａ及び２１ｂの正面に当接させる。次に、第２の固定手段６１ａ及び６１ｂの各々を、取付部材２１ａ及び２１ｂの各々に抜け止め状態に係合させてから、扉本体３１を床面２に押圧させて水密状態に固定する。尚、このとき床面２には扉本体３１と係合させるための部材を別途設置する必要がなく、床面２を平坦にすることができるため、雨水等が溜まらず、衛生的である。その後で、第１の固定手段５１ａ〜５１ｄの各々を、取付部材２１ａ及び２１ｂの各々に抜け止め状態に係合させてから、扉本体３１を取付部材２１ａ及び２１ｂに押圧させて水密状態に固定する。このとき、扉本体３１の弾性シート３９が水密性能を発揮することになる。
【００６５】
防水扉構造体１１の取り外しでは、上述の取付工程を逆に行うことで、取付部材２１ａ及び２１ｂのみが構造物１ａ及び１ｂに取り付けられた通常時の状態に戻せる。通常時には、取付部材２１ａ及び２１ｂには、第１の固定手段５１ａ〜５１ｄ及び第２の固定手段６１ａ及び６１ｂは取り付けられていないので、破損の虞がない。又、取付部材２１ａ及び２１ｂの正面には開口のみ形成されて突起物がないので、通常時の使用状態においては影響を与えることがないと共に、美観上も好ましい。
【００６６】
図１３は、この発明の第２の実施の形態による防水扉構造体の概略正面図であって、図１に対応した図であり、図１４は、図１３で示したＸＩＶ−ＸＩＶラインから見た断面図である。
【００６７】
尚、この第２の実施の形態による防水扉構造体１２は、図１で示した防水扉構造体１１と基本的な構成は同一である。ここでは、その相違点を中心に説明する。
【００６８】
これらの図を参照して、防水扉構造体１２は、取付部材２１ａ及び２１ｂと、扉本体３１と、第１の固定手段５１ａ〜５１ｄと、底面２に設置された係合部材７１と、係合部材７１に脱着自在に取り付けられ、扉本体３１を床面２に押圧させて水密状態に固定する第２の固定手段８１ａ及び８１ｂとから構成される。
【００６９】
図１４を参照して、係合部材７１は、中空形状を有すると共に、その上面は長円状の開口７２ａ及び７２ｂが形成されている。このように構成した理由については、後述する。
【００７０】
次に、第２の固定手段８１について説明する。
【００７１】
図１５は、図１３で示した第２の固定手段の概略右側面図であり、図１６は、図１５で示したＸＶＩ−ＸＶＩラインから見た断面図である。
【００７２】
これらの図を参照して、第２の固定手段８１は、ねじ山を回すことで押圧することができる押圧部８５と、押圧部８５のねじ山と螺合する平板形状を有する本体部８７と、本体部８７の一方端部で固定接続されたパイプ８３と、パイプ８３の中央下方位置で連結する長円状フランジの係合部８２とから構成される。尚、係合部８２の平面視の大きさは、図１４で示した係合部材７１の開口７２ａ及び７２ｂを挿通できるように設定されている。
【００７３】
ここで、この第２の固定手段８１の使用について説明する。
【００７４】
図１７は、図１３で示したＸＶＩＩ−ＸＶＩＩラインから見た断面図であり、図１８は、図１７で示したＸＶＩＩＩ−ＸＶＩＩＩラインから見た断面図である。
【００７５】
尚、図１３で示した第２の固定手段８１ａ及び８１ｂは、同一の構成である。
【００７６】
使用に際して、図１８を参照して、まず第２の固定手段８１ａの係合部８２ａを、係合部材７１の開口７２ａの長円形状に合わせるようにして差し込み、二点鎖線の矢印で示した方向に、パイプ８３ａを軸として９０度に回転させる。ここで、係合部８２ａの短手方向の長さＷ１は、開口７２ａの短手方向の長さＷ２より小さく設定されているが、係合部８２ａの長手方向の長さＬ２は、開口７２ａの短手方向の長さＷ２より大きく設定されている。これにより、第２の固定手段８１ａの係合部８２ａは、開口７２ａに抜け止め状態に係合する（図１７の状態）。次に、図１７を参照して、第２の固定手段８１ａを回転させて、第２の固定手段８１ａの押圧部８５ａを下げる。これによって、扉本体３１の枠体３２の内下方にある下方枠３４を、床面２に下方へ押圧させて、水密状態に固定する。これにより、図１で示した第２の固定手段６１ａ及び６１ｂと比べて、第２の固定手段８１ａ及び８１ｂは、床面２に近い位置から下方へ押圧することができ、押圧によるエネルギーは分散しにくいので、扉本体３１の床面２との水密効果がより高まることになり、防水機能の信頼性が向上する。
【００７７】
図１９は、この発明の第３の実施の形態による防水扉構造体の第２の固定手段の使用状態を示す概略断面図であって、図１７に対応した図であり、図２０は、図１９で示したＸＸ−ＸＸラインから見た断面図であって、図１８に対応した図である。
【００７８】
尚、この第３の実施の形態による防水扉構造体１３は、図１３で示した第２の実施の形態による防水扉構造体１２と基本的な構成は同一である。ここでは、その相違点を中心に説明する。
【００７９】
これらの図を参照して、防水扉構造体１３の係合部材９８は、中空形状を有すると共に、その上面は平面視正方形の開口９９が形成されている。このように構成した理由については、後述する。
【００８０】
防水扉構造体１３の第２の固定手段９１は、ねじ山を回すことで押圧することができる押圧部９５と、押圧部９５のねじ山と螺合する平板形状を有する本体部９７と、本体部９７の一方端部で固定接続され、平面視正方形の四角柱形状を有する角柱部９３とその角柱部９３の下方位置に水平方向に形成された切欠９４とからなる係合部９２とから構成される。尚、係合部９２の平面視の大きさは、係合部材９８の開口９９を挿通できるように設定されている。
【００８１】
ここで、この第２の固定手段９１の使用について説明する。
【００８２】
使用に際して、図２０を参照して、まず第２の固定手段９１の係合部９２を、係合部材９８の開口９９の正方形形状に合わせるようにして差し込む。ここで、係合部９２の平面視正方形の一辺の長さＬ３は、開口９９の一辺の長さＬ４より小さく設定されているので、係合部９２は係合部材９８の開口９９を挿通できる。次に、差し込んだ状態で、第２の固定手段９１を左方に移動させて、係合部９２の切欠９４を図１９で示した係合部材９８の左方位置の上面部１００と係合させる。これにより、第２の固定手段９１は、開口９９に抜け止め状態に係合することになる。
【００８３】
尚、上記の各実施の形態では、扉本体の枠体は、特定の素材から形成されていたが、例えばアルミニウム等の他の素材から形成されていても良い。
【００８４】
又、上記の各実施の形態では、扉本体は支柱を含むものであったが、支柱はなくても良い。
【００８５】
更に、上記の各実施の形態では、弾性シートは、特定の素材から形成されていたが、水密性を有する弾性体であれば、他の材質から形成されていても良い。
【００８６】
更に、上記の各実施の形態では、取付部材には、特定の開口が形成されていたが、第１の固定手段及び第２の固定手段が脱着自在に取り付けられるものであれば開口でなくても切欠のようなものでも良い。又は、開口はなくても良い。
【００８７】
更に、上記の各実施の形態では、第１の固定手段及び第２の固定手段には、特定の係合部があったが、取付部材に脱着自在に取り付けられるものであれば、他の係合部であっても良い。又は、係合部はなくても良い。
【００８８】
更に、上記の各実施の形態では、第１の固定手段及び第２の固定手段には、特定の押圧部があったが、扉本体を取付部材の前面（正面）に押圧させるものであれば、他の押圧部であっても良い。又は、押圧部はなくても良い。
【００８９】
更に、上記の各実施の形態では、扉本体は、枠体から形成されたものであったが、それ以外のものから形成されていても良い。
【００９０】
更に、上記の各実施の形態では、扉本体は、弾性シートを含むものであったが、扉本体自体が水密性を有するものであれば他のものであっても良い。又は、弾性シートの代わりにパッキンを取り付けるものであっても良い。
【００９１】
更に、上記の各実施の形態では、取付部材は、接着剤等で構造物に取り付けられていたが、例えばアンカーボルト等の金属金具等を用いて構造物に取り付けられていても良い。又は、取付部材は構造物に埋め込まれていても良い。
【００９２】
更に、上記の各実施の形態では、取付部材は、中空形状を有していたが、例えば断面視コの字状の取付部材を構造物に取り付けることで形成された中空形状も、本願においては中空形状の概念に含まれるものとする。
【００９３】
更に、上記の第２及び第３の実施の形態の各々では、係合部材は、中空形状を有していたが、例えば断面視コの字状の係合部材を床面に埋め込むことで形成された中空形状も、本願においては中空形状の概念に含まれるものとする。
【００９４】
更に、上記の各実施の形態では、第１の固定手段、又は、第２の固定手段は、取付部材、又は、係合部材に特定の個数で取り付けられるものであったが、例えば止水高さ等の設計条件に応じて、他の個数で取り付けられるものであっても良い。
【００９５】
更に、上記の各実施の形態では、第１の固定手段、又は、第２の固定手段は、取付部材、又は、係合部材の特定の位置に取り付けられるものであったが、例えば止水高さ等の設計条件に応じて、他の位置に取り付けられるものであっても良い。
【００９６】
更に、上記の各実施の形態では、扉本体の支柱は、特定位置に１本が形成されたものであったが、例えば止水幅や止水高さ等の設計条件に応じて、他の位置に、又、複数本で形成されるものであっても良い。
【００９７】
更に、上記の各実施の形態では、第１の固定手段及び第２の固定手段は、ねじ山を回すことで押圧するものであったが、例えばワンタッチ式の押圧機構やレバー機構等の他の押圧機構によって押圧するものであっても良い。
【００９８】
更に、上記の第２の実施の形態では、第２の固定手段は、扉本体の枠体の下方枠を下方に押圧するものであったが、例えば、第２の固定手段のパイプを扉本体の高さよりも長くすることで、扉本体の枠体の上方枠を下方へ押圧するものにしても良い。このとき、第２の固定手段は、第１の実施の形態における第２の固定手段と同様の効果を奏することになる。
【００９９】
更に、上記の第３の実施の形態では、第２の固定手段は、扉本体の枠体の下方枠を下方に押圧するものであったが、例えば、第２の固定手段の係合部を扉本体の高さよりも長くすることで、扉本体の枠体の上方枠を下方へ押圧するものにしても良い。このとき、第２の固定手段は、第１の実施の形態における第２の固定手段と同様の効果を奏することになる。
【０１００】
更に、上記の第２の実施の形態では、第２の固定手段の長円状の係合部と、係合部材の長円状の開口とが係合するものであったが、例えば第２の固定手段が、円柱形状の円柱部とその円柱部の下端に接続された円板状の係合部とを含んで形成され、係合部材の開口は、鍵穴状に形成されることで、第１の固定手段のようにして係合部が係合部材に抜け止め状態で係合するようなものであっても良い。又、第２の固定手段と係合部材とは、抜け止め状態に係合するようなものであれば、これ以外の他の係合方法であっても良い。
【０１０１】
更に、上記の第３の実施の形態では、第２の固定手段の係合部及び係合部材の開口は、切欠を有する特定形状のものであったが、係合部と開口とが抜け止め状態で係合するものであれば、他の形状であっても良い。
【符号の説明】
【０１０２】
１…構造物
２…床面
１１〜１３…防水扉構造体
２１…取付部材
２２〜２４…開口
３１…扉本体
３２…枠体
３９…弾性シート
５１…第１の固定手段
５２…係合部
５５…押圧部
６１…第２の固定手段
６２…係合部
６５…押圧部
７１…係合部材
７２…開口
８１…第２の固定手段
８２…係合部
８５…押圧部
９１…第２の固定手段
９２…係合部
９５…押圧部
９８…係合部材
９９…開口
尚、各図中同一符号は同一又は相当部分を示す。
【図１】
2015081442.tif 000003
【図２】
2015081442.tif 000004
【図３】
2015081442.tif 000005
【図４】
2015081442.tif 000006
【図５】
2015081442.tif 000007
【図６】
2015081442.tif 000008
【図７】
2015081442.tif 000009
【図８】
2015081442.tif 000010
【図９】
2015081442.tif 000011
【図１０】
2015081442.tif 000012
【図１１】
2015081442.tif 000013
【図１２】
2015081442.tif 000014
【図１３】
2015081442.tif 000015
【図１４】
2015081442.tif 000016
【図１５】
2015081442.tif 000017
【図１６】
2015081442.tif 000018
【図１７】
2015081442.tif 000019
【図１８】
2015081442.tif 000020
【図１９】
2015081442.tif 000021
【図２０】
2015081442.tif 000022
【図２１】
2015081442.tif 000023
【図２２】
2015081442.tif 000024
【図２３】
2015081442.tif 000025